(57)【要約】【課題】エンジン再始動時においてその始動性の向上とＰＭエミッションの悪化の抑制とを両立することができるエンジンの制御装置を提供する。【解決手段】筒内噴射用のインジェクタを有する複数の気筒が設けられたエンジンのＥＣＵ４０は、アイドリングストップ制御でエンジンを自動停止状態から自動再始動させる際に、複数の気筒のうち始動開始後に最も早く圧縮行程噴射が可能になる第１気筒を判定し、第１気筒について、始動開始後の最初の燃料噴射時に圧縮行程噴射を実施しかつ始動開始後の２回目以降の燃料噴射として吸気行程噴射を実施する。また、第１気筒以外の第２気筒については、始動開始後の最初の燃料噴射から吸気行程噴射を実施する。【選択図】      図３
2014211130.tif 000002
【特許請求の範囲】
【請求項１】
筒内噴射用の燃料噴射手段（２１）を有する複数の気筒が設けられたエンジン（１０）の制御装置において、
前記エンジンの自動停止条件が成立した際に前記エンジンを自動停止させ、前記エンジンの再始動条件が成立した際に前記エンジンを自動再始動させるアイドリングストップ制御手段と、
前記エンジンを自動停止状態から自動再始動させる際に、前記複数の気筒のうち始動開始後に最も早く圧縮行程噴射が可能になる第１気筒を判定する気筒判定手段と、
前記第１気筒について、始動開始後の最初の燃料噴射時に圧縮行程噴射を実施しかつ始動開始後の２回目以降の燃料噴射として吸気行程噴射を実施するとともに、前記第１気筒以外の気筒については、始動開始後の最初の燃料噴射から吸気行程噴射を実施する燃料噴射制御手段と、を備えることを特徴とするエンジンの制御装置。
【請求項２】
前記燃料噴射制御手段は、前記エンジンの再始動時において前記吸気行程噴射を実施する際、吸気行程噴射を２回以上の燃料噴射に分割して実施する請求項１に記載のエンジンの制御装置。
【請求項３】
前記燃料噴射制御手段は、前記吸気行程噴射の分割の回数を、前記エンジンの温度に基づいて決定する請求項２に記載のエンジンの制御装置。
【請求項４】
吸気バルブ（３１）と排気バルブ（３２）との開弁期間のオーバーラップ量を調整可能な可変動弁手段（４１）を備えるエンジンに適用され、
前記燃料噴射制御手段は、前記第１気筒について始動開始後の２回目以降の燃料噴射を実施する際、前記吸気行程噴射の燃料噴射量を前記オーバーラップ量に基づいて算出する請求項１〜３のいずれか一つに記載のエンジンの制御装置。
【発明の詳細な説明】
【技術分野】
【０００１】
本発明はエンジンの燃料噴射を制御するエンジンの制御装置に関する。
【背景技術】
【０００２】
近年、燃費向上技術として、エンジンの自動停止及び自動再始動を実施するアイドリングストップシステムに注目が集まっている。また、アイドリングストップ制御としてエンジンを自動停止させた後に、エンジンの再始動を早期に実施するための技術が各種提案されている。例えば、筒内に燃料を直接噴射する直噴式多気筒エンジンにおいて、エンジンを停止状態から再始動させる場合に、所定の燃焼開始タイミングに至ってから所定期間が経過するまでの間は圧縮行程噴射を実施するようにした技術が知られている（特許文献１参照）。これにより、始動時のトルク立ち上がりを早期化できるため、始動時間の短縮が可能となっている。
【先行技術文献】
【特許文献】
【０００３】
【特許文献１】特開２００７−１７０２０５号公報
【発明の概要】
【発明が解決しようとする課題】
【０００４】
しかしながら、エンジンの再始動時に圧縮行程噴射を実施する場合、燃焼室内においてピストンに付着する燃料（いわゆるピストンウエット）が大幅に増加し、局所的にリッチな部分が発生する。そのため、ＰＭエミッションが悪化することが懸念される。したがって、エミッション改善の観点からして改善の余地があると考えられる。
【０００５】
本発明は、エンジン再始動時においてその始動性の向上とＰＭエミッションの悪化の抑制とを両立することができるエンジンの制御装置を提供することを主たる目的とするものである。
【課題を解決するための手段】
【０００６】
請求項１に記載の発明では、筒内噴射用の燃料噴射手段を有する複数の気筒が設けられたエンジンの制御装置において、前記エンジンの自動停止条件が成立した際に前記エンジンを自動停止させ、前記エンジンの再始動条件が成立した際に前記エンジンを自動再始動させるアイドリングストップ制御手段と、前記エンジンを自動停止状態から自動再始動させる際に、前記複数の気筒のうち始動開始後に最も早く圧縮行程噴射が可能になる第１気筒を判定する気筒判定手段と、前記第１気筒について、始動開始後の最初の燃料噴射時に圧縮行程噴射を実施しかつ始動開始後の２回目以降の燃料噴射として吸気行程噴射を実施するとともに、前記第１気筒以外の第２気筒については、始動開始後の最初の燃料噴射から吸気行程噴射を実施する燃料噴射制御手段と、を備えることを特徴とする。
【０００７】
上記発明では、エンジンの自動停止状態からの自動再始動時に、第１気筒（最も早く圧縮行程噴射が可能な気筒）の最初の燃料噴射として圧縮行程噴射が実施されるため、再始動のための初期回転の開始後には、第１気筒において圧縮行程の直後の上死点付近（圧縮ＴＤＣ付近）で最初の燃焼が行われる。これにより、アイドリングストップ制御の再始動開始後においていち早いエンジン始動が可能となる。
【０００８】
また、圧縮行程噴射を実施するのは第１気筒において始動開始後の最初の燃料噴射時に限られ、第１気筒の２回目以降の燃料噴射としては吸気行程噴射が実施されるとともに、第１気筒以外の第２気筒の燃料噴射としては最初から吸気行程噴射が実施される。そのため、エンジン始動後において燃焼室内のウエットに起因するＰＭエミッションの悪化を抑制できる。
【０００９】
つまり、圧縮行程噴射を実施する場合には、燃料噴射手段からの噴射燃料がピストンに付着するピストンウエットが生じやすく、そのピストンウエットに起因してＰＭエミッションの悪化の懸念が生じる。この点、上記のとおり圧縮行程噴射の実施を第１気筒の最初の燃料噴射時のみにすることにより、ピストンウエットを減らし、ひいてはＰＭエミッションの悪化を抑制できる。したがって、エンジン再始動時においてその始動性の向上とＰＭエミッションの悪化の抑制とを両立できる。
【図面の簡単な説明】
【００１０】
【図１】筒内噴射式エンジンの制御システムの概略を示す構成図。
【図２】アイドリングストップ制御処理の手順を示すフローチャート。
【図３】燃料噴射制御処理の手順を示すフローチャート。
【図４】燃料噴射制御を具体的に説明するためのタイムチャート。
【図５】第２実施形態における燃料噴射制御処理の手順を示すフローチャート。
【図６】バルブオーバーラップ量と減量補正値との関係を示す図。
【発明を実施するための形態】
【００１１】
（第１実施形態）
以下、本発明を具体化した実施形態を図面に基づいて説明する。本実施形態は、車両に搭載される筒内噴射式の多気筒エンジン（内燃機関）を制御対象としており、当該エンジンにおける各種アクチュエータの電子制御を実施するものとしている。なおエンジンは４つの気筒が搭載された４ストロークエンジンであり、各気筒が吸気行程、圧縮行程、膨張行程、排出行程の４つの行程を繰り返し実行することでエンジンが回転される。
【００１２】
まず、図１によりエンジン制御システムの全体概略構成を説明する。
【００１３】
図１に示す筒内噴射式エンジン（以下、エンジン１０という）において、吸気管１１の上流部には吸入空気量を検出するためのエアフロメータ１２が設けられている。エアフロメータ１２の下流側には、ＤＣモータ等のスロットルアクチュエータ１３によって開度調節されるスロットルバルブ１４が設けられており、該スロットルバルブ１４の開度（スロットル開度）はスロットルアクチュエータ１３に内蔵されたスロットル開度センサにより検出される。スロットルバルブ１４の下流側にはサージタンク１６が設けられ、このサージタンク１６には吸気管圧力を検出するための吸気管圧力センサ１７が設けられている。サージタンク１６には、エンジン１０の各気筒に空気を導入する吸気マニホールド１８が接続されている。
【００１４】
シリンダブロック２０には電磁駆動式のインジェクタ（燃料噴射手段）２１が設けられており、シリンダ内壁とピストン２２の上面（頂部）とにより区画形成される燃焼室２３内にはインジェクタ２１から燃料が直接噴射される。インジェクタ２１に対しては、高圧ポンプを有してなる高圧燃料システムから高圧燃料が供給されるようになっている。
【００１５】
高圧燃料システムについて簡単に説明する。本システムは、主たる構成として、燃料タンク２４内の燃料をくみ上げる低圧ポンプ２５と、この低圧ポンプ２５にてくみ上げられた低圧燃料を高圧化する高圧ポンプ２６と、高圧ポンプ２６から吐出される高圧燃料を蓄えるデリバリパイプ（蓄圧配管）２７とを有しており、デリバリパイプ２７に各気筒のインジェクタ２１がそれぞれ接続されている。高圧ポンプ２６により高圧化されデリバリパイプ２７内に蓄えられた高圧燃料はインジェクタ２１により燃焼室２３内（気筒内）に噴射される。また、高圧ポンプ２６とデリバリパイプ２７とを接続する高圧燃料配管２８には、燃料の圧力（燃圧）を検出するための燃圧センサ２９が設けられている。
【００１６】
高圧ポンプ２６は、機械式ポンプであり、エンジン１０のカム軸の回転により駆動される。高圧ポンプ２６の燃料吐出量は、同ポンプ２６に設けられた燃圧制御弁（図示略）の開閉により制御され、デリバリパイプ２７内の燃圧が最大で例えば２０ＭＰａ程度に高圧化される。なお、低圧ポンプ２５は電動式ポンプである。
【００１７】
エンジン１０の吸気ポート及び排気ポートにはそれぞれ吸気バルブ３１及び排気バルブ３２が設けられており、吸気バルブ３１の開動作により吸入空気が燃焼室２３内に導入され、排気バルブ３２の開動作により燃焼後の排気が排気管３３に排出される。
【００１８】
吸気バルブ３１には、その開閉タイミングを可変とする可変動弁機構４１が設けられている。可変動弁機構４１は、エンジン１０のクランク軸と吸気カム軸との相対回転位相を変更するものであり、所定の基準位置に対して進角側及び遅角側への位相変更が可能になっている。可変動弁機構４１としては、油圧駆動式または電動式のものが用いられる。なお可変動弁機構４１は、少なくともは吸気バルブ３１の開弁タイミングを可変に調整できるものであればよい。
【００１９】
エンジン１０のシリンダヘッドには各気筒に点火プラグ３４が取り付けられており、点火プラグ３４には、図示しない点火コイル等を通じて、所望とする点火時期において高電圧が印加される。この高電圧の印加により、各点火プラグ３４の対向電極間に火花放電が発生し、燃焼室２３内において燃料が着火されて燃焼に供される。
【００２０】
排気管３３には、排気を浄化するための触媒３５が設けられている。触媒３５は、例えば排気中のＣＯ，ＨＣ，ＮＯｘを浄化する三元触媒である。また、排気管３３において三元触媒３５の上流側には、排気を検出対象として混合気の空燃比を検出する空燃比センサ３６が設けられている。
【００２１】
また、シリンダブロック２０には、エンジン水温（エンジン温度に相当）を検出する水温センサ３８や、クランク軸（図示略）の所定回転毎（例えば１０°ＣＡ周期）にクランク角信号を出力するクランク角度センサ３９が取り付けられている。また、エンジン１０には、エンジン始動時においてクランク軸に対して初期回転を付与する始動手段としてのスタータ４２が設けられている。図示は省略するが、上記以外に、本システムでは、車速を検出する車速センサや、アクセルペダルの踏込み操作量を検出するアクセルセンサ、ブレーキペダルの踏込み操作量を検出するブレーキセンサ等が設けられている。
【００２２】
上述した各種センサの出力は、エンジン制御を司る電子制御ユニット（以下、ＥＣＵ４０という）に入力される。ＥＣＵ４０は、ＣＰＵ、ＲＯＭ、ＲＡＭ等よりなるマイクロコンピュータを有して構成され、ＲＯＭに記憶された各種の制御プログラムを実行する。ＥＣＵ４０は、エンジン運転状態に応じてインジェクタ２１の燃料噴射量及び燃料噴射時期を制御したり、点火プラグ３４の点火時期等を制御したり、高圧ポンプ２６による燃料吐出量を制御したり、可変動弁機構４１の駆動を制御したりする。
【００２３】
また、ＥＣＵ４０は、アイドリングストップ制御手段に相当し、アイドリングストップ制御として、所定の自動停止条件が成立した場合にエンジン１０の燃焼を停止してエンジン１０を自動停止させ、エンジン燃焼停止後、所定の再始動条件が成立した場合に、スタータ４２を駆動しかつエンジン１０の燃焼を再開してエンジン１０を再始動させる。エンジン停止条件としては、例えば、エンジン水温が所定温度（例えば６０℃以上）であること、車速が所定値以下（例えば５ｋｍ／ｈ以下）であること、及びアクセル操作量がゼロであること（又はブレーキ操作が行われたこと）が含まれる。また、エンジン再始動条件としては、例えば、アクセルペダルの踏込み操作が行われたことや、ブレーキ操作が解除されたこと等が含まれる。
【００２４】
ここで、エンジン１０の始動開始当初と始動完了後とでは、燃料噴射量の算出手法が異なっている。具体的には、エンジン１０の始動開始後において、エンジン回転速度が所定の始動判定値Ｎ１（例えば４００ｒｐｍ）に達するまで（すなわち始動完了前）は、エンジン始動時のエンジン水温に基づいて始動時噴射量Ｑ１、Ｑ２が算出され、その始動時噴射量Ｑ１、Ｑ２によりインジェクタ２１の駆動が制御される。なお，噴射時期の違い（圧縮行程と吸気行程）によるトルク効率を考慮して，圧縮行程で噴射する場合と吸気行程で噴射する場合とで，異なる始動時噴射量Ｑ１，Ｑ２が設定される。また、始動開始後において、エンジン１０で初爆が生じてエンジン回転速度が始動判定値Ｎ１に達した後（すなわち始動完了後）は、エンジン負荷（例えば吸入空気量）とエンジン回転速度とに基づいて基本噴射量が算出されるとともに、その基本噴射量に対して水温補正や空燃比補正等が適宜実施されて最終の燃料噴射量が算出され、その燃料噴射量（始動後噴射量Ｑ３）によりインジェクタ２１の駆動が制御される。なお、燃料噴射量の算出にあたってはデリバリパイプ２７内の燃圧が加味されるとよく、例えば始動開始当初には、始動時水温と始動時燃圧とに基づいて始動時噴射量が算出される。
【００２５】
また本実施形態では、アイドリングストップ制御の実施によりエンジン１０が自動停止された状態から自動再始動させる際に、エンジン１０の全気筒のうち始動開始後に最も早く圧縮行程噴射が可能になる第１気筒と、それ以外の第２気筒とを区別している。なお第２気筒は、全気筒のうち第１気筒を除く残りの全ての気筒を示している。そして、第１気筒については、再始動開始後の最初の燃料噴射時に圧縮行程噴射を実施し、かつ再始動開始後の２回目以降の燃料噴射として吸気行程噴射を実施するようにしている。また、第２気筒については、再始動開始後の最初の燃料噴射から吸気行程噴射を実施するようにしている。
【００２６】
次に、ＥＣＵ４０が実行するアイドリングストップ制御と燃料噴射制御とをフローチャートを用いて詳細に説明する。図２は、アイドリングストップ制御処理の手順を示すフローチャートであり、図３は、燃料噴射制御処理の手順を示すフローチャートである。これら各処理は、ＥＣＵ４０により所定時間ごとに繰り返し実施される。
【００２７】
図２において、ステップＳ１では、エンジン１０が運転中であるか否かを判定する。エンジン１０が運転中であると肯定判定した場合には、ステップＳ０２に進み、エンジン１０の自動停止条件が成立したか否かを判定する。
【００２８】
そして、ステップＳ２で自動停止条件が成立したと肯定判定した場合には、続くステップＳ３で燃料噴射と点火とを停止させてエンジン１０を自動停止させる。次にステップＳ４で、エンジン１０が自動停止された状態でのクランク角位置の情報を取得する。この場合、クランク角信号の発生の都度カウントされるクランクカウンタを用い、エンジン停止時におけるカウンタ値を取得する。
【００２９】
エンジン１０の自動停止後にはステップＳ１を否定判定し、ステップＳ５で、エンジン１０の自動再始動条件が成立したか否かを判定する。自動再始動条件の成立を肯定判定した場合、ステップＳ６に進む。ステップＳ６では、スタータ４２を駆動させるとともに燃料噴射と点火とを再開することにより、エンジン１０の再始動を実施する。
【００３０】
また図３において、ステップＳ１１では、今現在、エンジン１０の再始動開始から始動完了までの始動期間Ｔｓｔであるか否かを判定する。この始動期間Ｔｓｔは、エンジン１０の始動開始後、エンジン回転速度が始動判定値Ｎ１に達するまでの期間である。ステップＳ１１を否定判定する場合、ステップＳ１２に進み、燃料噴射制御として通常制御を実施する。この通常制御では、始動後噴射量Ｑ３により燃料噴射が行われるようになっており、上述のとおりエンジン負荷とエンジン回転速度とに基づく基本噴射量の算出や、水温補正や空燃比補正等が適宜実施されて最終の燃料噴射量が算出される。また、例えば触媒３５の暖機完了前には、触媒暖機要求による点火遅角制御に合わせて圧縮行程噴射が実施され、触媒暖機後は、吸気行程噴射が実施される。
【００３１】
また、ステップＳ１１を肯定判定する場合にはステップＳ１３に進み、再始動の開始時点でどの気筒が圧縮行程になっているか、すなわち第１気筒がどれかを判定する。このとき、エンジン１０の自動停止時に取得されたクランクカウンタの値から、圧縮行程になっている気筒がどの気筒であるかが判定される。
【００３２】
続くステップＳ１４では、今回の燃料噴射が、再始動開始後において、第１気筒の最初の燃料噴射であるか否かを判定する。そして、第１気筒の最初の燃料噴射であれば、ステップＳ１５に進み、第１気筒の２回目以降の燃料噴射か又は第２気筒の燃料噴射であれば、ステップＳ１８に進む。
【００３３】
ステップＳ１５では、始動時水温や始動時燃圧に基づいて始動時噴射量Ｑ１を算出し、続くステップＳ１６では、燃料噴射時期を圧縮行程として決定する。その後、ステップＳ１７では、ステップＳ１４で判定された圧縮行程気筒（第１気筒に相当）について圧縮行程噴射を実施する。
【００３４】
また、ステップＳ１８では、始動時水温や始動時燃圧に基づいて始動時噴射量Ｑ２を算出し、続くステップＳ１９では、燃料噴射時期を吸気行程として決定する。その後、ステップＳ２０では、分割噴射の実施の態様を決定する。この場合、始動時水温に基づいて分割回数を決定することとし、始動時水温が低いほど分割回数を多くするとよい。例えば、水温≧４０℃であれば分割回数を２回とし、水温＜４０℃であれば分割回数を３回とするとよい。又は、始動時燃圧に基づいて分割回数を決定することも可能である。例えば、始動時燃圧が低いほど分割回数を多くするとよい。ステップＳ２１では、ステップＳ２０で決定した分割回数にて燃料噴射量を分割して、吸気行程噴射を実施する。
【００３５】
次に上記処理の実行例を説明する。図４は、エンジン再始動時における燃料噴射制御を具体的に説明するためのタイムチャートである、図４では、各気筒の圧縮行程を示すために圧縮行程期間に網掛けを付しており、エンジン１０の再始動開始時点（時刻ｔ１）では＃１気筒〜＃４気筒のうち＃３気筒が圧縮行程気筒（第１気筒）となっている。なお、燃焼順序は＃１→＃３→＃４→＃２である。
【００３６】
図４において、時刻ｔ１以前はエンジン１０が自動停止状態にあり、時刻ｔ１で自動再始動条件が成立することにより、エンジン再始動が開始される。この場合まずはスタータ４２によりクランキング（初期回転）が開始され、時刻ｔ２，ｔ３でそれぞれ＃４気筒の吸気行程噴射、＃３気筒の圧縮行程噴射が実施される。ここで、燃焼順序からすれば＃３気筒が先、＃４気筒が後であるが、これら２つの気筒では略同時期に燃料噴射が実施される。時刻ｔ２で開始される＃４気筒の吸気行程噴射では２回に分割して燃料噴射が実施されている。
【００３７】
この場合、圧縮行程噴射が実施された＃３気筒では、その直後の上死点（圧縮ＴＤＣ）付近で点火が実施されて燃料が燃焼される（初爆の発生）。そしてこれにより、時刻ｔ４では、エンジン回転速度がクランキング回転速度から上昇し始める。時刻ｔ４〜ｔ５では、全気筒について吸気行程噴射が実施され、各燃料噴射での燃料の燃焼によりエンジン回転速度が次第に上昇する。時刻ｔ４〜ｔ５でも、２回に分割して吸気行程噴射が実施されている。
【００３８】
時刻ｔ５では、エンジン回転速度が始動判定値Ｎ１に達し、始動完了した旨が判定される。時刻ｔ１〜ｔ５が始動期間Ｔｓｔである。なお、時刻ｔ５以前は始動時噴射量Ｑ１，またはＱ２により燃料噴射が実施されているのに対し、時刻ｔ５以降は始動後噴射量Ｑ３により燃料噴射が実施されている。
【００３９】
以上詳述した本実施形態によれば以下の優れた効果が得られる。
【００４０】
（１）エンジン１０の自動停止状態からの自動再始動時に、第１気筒（最も早く圧縮行程噴射が可能な気筒）の最初の燃料噴射として圧縮行程噴射が実施されるため、再始動のための初期回転の開始後には、第１気筒において圧縮行程の直後の上死点付近（圧縮ＴＤＣ付近）で最初の燃焼が行われる。これにより、アイドリングストップ制御の再始動開始後においていち早いエンジン始動が可能となる。
【００４１】
また、圧縮行程噴射を実施するのは第１気筒において始動開始後の最初の燃料噴射時に限られ、第１気筒の２回目以降の燃料噴射としては吸気行程噴射が実施されるとともに、第１気筒以外の第２気筒の燃料噴射としては最初から吸気行程噴射が実施される。そのため、エンジン始動後において燃焼室２３内のウエットに起因するＰＭエミッションの悪化を抑制できる。
【００４２】
つまり、圧縮行程噴射を実施する場合には、インジェクタ２１からの噴射燃料がピストンに付着するピストンウエットが生じやすく、そのピストンウエットに起因してＰＭエミッションの悪化の懸念が生じる。この点、上記のとおり圧縮行程噴射の実施を第１気筒の最初の燃料噴射時のみにすることにより、ピストンウエットを減らし、ひいてはＰＭエミッションの悪化を抑制できる。したがって、エンジン再始動時においてその始動性の向上とＰＭエミッションの悪化の抑制とを両立できる。
【００４３】
（２）エンジン１０の再始動時において吸気行程噴射を実施する際、複数回に分割して燃料噴射を実施する構成とした。この場合、分割噴射を実施することで、１回にまとめて噴射する場合に比べて、ペネトレーションを低くすることができるため、燃焼室２３内でのウエット発生を抑制できる。そのため、ＰＭエミッションの悪化を抑制する上でより効果的な構成を実現できる。
【００４４】
また、エンジン１０が比較的低温の状態であってもＰＭ発生を抑制できるため、アイドリングストップ制御の実施領域を低温側に拡大することが可能となる。したがって、エンジン自動停止の実施機会を増やすことができ、燃費向上に貢献できる。
【００４５】
（３）エンジン１０の再始動時において、エンジン水温に応じて吸気行程噴射の分割回数を設定する構成とした。そのため、エンジン１０が比較的低温であっても、ＰＭの発生を適切に抑制できる。この場合、エンジン１０の自動停止条件として水温条件を緩くする、すなわち自動停止の許可温度を低めにすることが可能となり、やはりＰＭエミッションの悪化抑制を好適に実施できる。
【００４６】
（第２実施形態）
次に、第２の実施形態について上記第１実施形態との相違点を主に説明する。本実施形態では、始動開始後に最初に圧縮行程噴射を実施する気筒（第１気筒）の２回目以降の燃料噴射の燃料量（吸気行程噴射の燃料量）を、エンジン再始動時におけるバルブオーバーラップ量に基づいて調整することとしている。ここで、ＥＣＵ４０は、例えばエンジン水温に応じて可変動弁機構４１を駆動して吸気バルブ３１の開弁期間を制御し、その吸気バルブ３１の開弁期間の制御によりバルブオーバーラップ量が変更されるようになっている。バルブオーバーラップ量が変更されると、燃焼室２３から吸気系への吹き戻し量（いわゆる内部ＥＧＲ量）が変更されるようになっている。
【００４７】
要するに、エンジン再始動時において、最初の燃料噴射を圧縮行程噴射にすると、燃焼室２３内においてウエットによる未燃燃料が残り、その未燃燃料がバルブオーバーラップにより燃焼室２３から吸気側に吹き戻される。この場合、未燃燃料の吹き戻し量に基づいて、次回以降の燃焼状態に影響が及ぶと考えられる。そこで本実施形態では、再始動開始後の２回目以降の燃料噴射において、初回の圧縮行程噴射による未燃燃料の吹き戻し量を加味して、燃料噴射制御を実施する。
【００４８】
図５は、本実施形態における燃料噴射制御処理の手順を示すフローチャートであり、本処理は上述の図３の処理に置き換えてＥＣＵ４０により実施される。なお、図５では、図３との共通の処理について同じステップ番号を付しており、以下には共通部分については説明を簡略化している。
【００４９】
図５において、始動期間Ｔｓｔであってかつ２回目以降の燃料噴射時である場合（ステップＳ１１がＹＥＳ、ステップＳ１３がＮＯの場合）に、始動時噴射量Ｑ２の算出と吸気行程噴射を実施することの決定とを行い（ステップＳ１８，Ｓ１９）、その後、ステップＳ３１では、今回の燃料噴射が、始動開始直後に圧縮行程噴射を実施した気筒（第１気筒）であるか否かを判定する。そして、ステップＳ３１を肯定判定した場合には、ステップＳ３２に進み、今現在の吸気バルブ３１の開弁タイミングに基づいてバルブオーバーラップ量を算出する。また、続くステップＳ３３では、バルブオーバーラップ量に基づいて、始動時噴射量Ｑ２を減量補正する。このとき、バルブオーバーラップ量が大きく、燃焼室２３から吸気側への吹き戻し量が多い場合には未燃ガス（未燃ＨＣ）の吹き戻し量が多く、次回以降のＰＭ発生の可能性が高くなることが懸念される。そのため、図６の関係図に示すように、バルブオーバーラップ量が大きいほど、減量補正値を大きくする。これにより、吹き戻しガス中の未燃ＨＣ分を加味した上で燃料噴射量を決定できる。
【００５０】
ステップＳ３３の実施後には、減量補正後の始動時噴射量Ｑ２について分割噴射の実施の態様を決定し、その態様（分割回数）にて分割噴射を実施する（ステップＳ２０，Ｓ２１）。
【００５１】
バルブオーバーラップ量が相違すると、燃焼室２３から吸気側への吹き戻し量が異なり、それに起因して、圧縮行程噴射後に吸気行程噴射が実施される気筒（第１気筒）についてＰＭ発生に影響が及ぶと考えられるが、バルブオーバーラップ量に基づいて吸気行程噴射の燃料噴射量が算出されることでＰＭエミッションの悪化を抑制できる。
【００５２】
(他の実施形態)
上記の実施形態を例えば次のように変更してもよい。
【００５３】
・上記実施形態では、４気筒エンジンへの適用例を説明したため、エンジン再始動の開始時には全気筒のうちいずれかが必ず圧縮行程になっており、その圧縮行程になっている気筒を「第１気筒」として圧縮行程噴射を実施したが、これを変更してもよい。例えば２気筒エンジン又は３気筒エンジンの場合には、全気筒のうちいずれかが圧縮行程になっているとは限らない。この場合には、エンジン再始動の開始時において、始動開始後に最も早く圧縮行程となる気筒（圧縮行程噴射が可能になる気筒）を「第１気筒」として圧縮行程噴射を実施する構成としてもよい。
【００５４】
・エンジン再始動時に吸気行程噴射を実施する際に、ＥＣＵ４０が、燃料噴射量（始動時噴射量Ｑ１）が所定量よりも多いか否かを判定し、所定量よりも多い場合には分割噴射を実施し、所定量よりも少ない場合には単発噴射（１回噴射）を実施する構成としてもよい。
【００５５】
・上記第２実施形態では、エンジン再始動の開始直後に圧縮行程噴射を実施した気筒（第１気筒）について、バルブオーバーラップ量に基づいて始動時噴射量Ｑ１を減量補正する構成としたが、第１気筒以外の気筒についても同様に、バルブオーバーラップ量に基づいて始動時噴射量Ｑ２を減量補正する構成としてもよい。
【００５６】
・上記実施形態では、エンジン温度としてエンジン水温を用いたが、これに代えて、シリンダ壁温やエンジン潤滑油の温度を用いてもよい。
【符号の説明】
【００５７】
１０…エンジン、２１…インジェクタ、４０…ＥＣＵ。
【図１】
2014211130.tif 000003
【図２】
2014211130.tif 000004
【図３】
2014211130.tif 000005
【図４】
2014211130.tif 000006
【図５】
2014211130.tif 000007
【図６】
2014211130.tif 000008